(57)【要約】【課題】予約対象の番組の放送時間が繰り下げられて放送されても確実に対象の番組を記録するとともに、この処理動作の際の消費電力を低く抑える移動通信装置を提供する。【解決手段】デジタル放送において放送される番組を受信する受信部１０１と、受信部１０１により受信される番組を記録するメモリ１１２と、放送予定の番組の記録予約をする入力部１０６と、入力部１０６で設定した番組の記録開始時刻に予約番組と異なる番組を受信部１０１が受信した場合は、予約番組の変更された放送開始時刻を取得して当該記録予約の記録開始時刻を新たに設定する制御部１１３とを設ける。【選択図】図１
2006042244.tif 000002
【特許請求の範囲】
【請求項１】
デジタル放送において放送される番組を受信する受信手段と、
該受信手段により受信される番組を記録する記録手段と、
放送予定の番組の記録予約をする予約手段と、
該予約手段で設定した番組の記録開始時刻に前記予約番組と異なる番組を前記受信手段が受信した場合は、前記予約番組の変更された放送開始時刻を取得して当該記録予約の記録開始時刻を新たに設定する制御手段と、
を備えたことを特徴とする移動通信装置。
【請求項２】
前記予約手段は、番組を識別する識別情報とともに記録予約を行い、
前記制御手段は、前記予約手段で設定した番組の識別情報と前記受信手段が受信する番組の識別情報とを比較することで、前記予約番組と前記受信手段が受信する番組とが異なる番組であることを判定することを特徴とする請求項１に記載の移動通信装置。
【請求項３】
前記制御手段は、前記予約番組の変更された放送開始時刻を前記受信手段が受信する電子番組情報に基づいて取得し、当該記録予約の記録開始時刻を新たに設定することを特徴とする請求項１に記載の移動通信装置。
【請求項４】
電話通信網と通信を行う通信手段を有し、
前記制御手段は、前記予約番組の変更された放送開始時刻を前記通信手段を介してアクセスした電子番組情報に基づいて取得し、当該記録予約の記録開始時刻を新たに設定することを特徴とする請求項１に記載の移動通信装置。
【請求項５】
前記制御手段は、前記記録予約の記録開始時刻を新たに設定するとともに、次の記録開始処理を行うまで前記受信手段の受信処理を休止して消費電力を抑えるスタンバイ状態に移行することを特徴とする移動通信装置。
【発明の詳細な説明】
【技術分野】
【０００１】
本発明は、例えばデジタル放送を受信する移動通信装置に関し、特にデジタル放送の予約録画（記録）を行う移動通信装置に関する。
【背景技術】
【０００２】
近年、携帯電話機にテレビチューナを内蔵する技術が知られている（例えば、特許文献１参照）。また、地上波デジタル放送または衛星デジタル放送では、主に携帯性の高い小型受信機向けに、１または３セグメントの伝送帯域を使用した放送が予定されている。
ところで、従来からテレビやラジオ放送を録画／録音できる装置では、録画／録音しようとする番組の開始時刻、終了時刻およびチャンネル情報をユーザが設定することで、録画／録音のタイマ予約を行い、予約した開始時刻になると自動的に放送波を受信して記録媒体に記録し、終了時刻になると記録を終了するといった機能を持っている。
【特許文献１】特開２００２−９９２０号公報
【発明の開示】
【発明が解決しようとする課題】
【０００３】
しかしながら、開始時刻や終了時刻を設定してタイマ予約を行った場合、録画／録音対象の番組が実際の放送時刻よりも繰り下げられて放送されてしまい、ユーザが録画／録音したいと望んだ番組が最後まで記録媒体に記録されないという問題があった。
そこで、デジタル放送などでは番組毎に個別のＩＤが付与されているため、この番組毎に割り振られている個別のＩＤを検出してユーザが録画予約した番組のＩＤと比較することで、実際の番組を記録媒体に記録できる。
【０００４】
ところが、上記方法では、実際に放送している番組ＩＤと予約対象の番組ＩＤとのズレを認識してから実際に放送している番組ＩＤと予約対象の番組ＩＤとが一致するまで、常に定期的に放送波を受信して実際に放送にしている番組のＩＤを検出し続けなければならない。一般に、商用電源により駆動される固定装置の場合は、定期的に放送波を受信する動作を行っても常に電力が供給されているため問題ないが、携帯電話機に代表されるバッテリ駆動の移動通信装置に上記動作を行わせると、実際の記録処理以外に予定外の電力が消費されてしまうために予約対象の番組が記録できないという問題が起こってしまう。また、前記問題以外にも通話時間や待受時間など装置の使用時間が短くなってしまうという問題もある。
【０００５】
本発明は、かかる事情に鑑みてなされたものであり、その目的は、予約対象の番組の放送時間が繰り下げられて放送されても確実に対象の番組を記録するとともに、この処理動作の際の消費電力を低く抑える移動通信装置を提供することにある。
【課題を解決するための手段】
【０００６】
前記目的を達成するために、本発明の移動通信装置は、デジタル放送において放送される番組を受信する受信手段と、該受信手段により受信される番組を記録する記録手段と、放送予定の番組の記録予約をする予約手段と、該予約手段で設定した番組の記録開始時刻に前記予約番組と異なる番組を前記受信手段が受信した場合は、前記予約番組の変更され
た放送開始時刻を取得して当該記録予約の記録開始時刻を新たに設定する制御手段と、を備える。
【発明の効果】
【０００７】
本発明によれば、予約対象の番組の放送時間が繰り下げられて放送されても確実に対象の番組を記録するとともに、この処理動作の際の消費電力を低く抑えることが出来る。
【発明を実施するための最良の形態】
【０００８】
図１は、本発明に係る移動通信装置の一実施形態の機能ブロック図である。図２は、図１に示した移動体通信装置（携帯電話）の一具体例の全体図である。
【０００９】
本実施形態に係る移動通信装置１００は、例えばデジタル放送やデジタルラジオの放送波を受信する機能、デコード機能、視聴機能、放送局による予め規定された放送スケジュール変更に伴う番組（コンテンツデータ）の放送開始時刻の繰下げに対応する録画予約機能を有する、携帯電話、ＰＤＡ（Personal digital assistant）、専用受信機、カーナビゲーション装置等のバッテリで駆動する移動通信装置である。
本実施形態では移動通信装置として携帯電話１００を説明する。
【００１０】
携帯電話１００は、詳細には図１に示すように、受信部１０１、スピーカ１０２、表示部１０３、計時部１０４、バイブレータ１０５、入力部１０６、送話器１０７、受話器１０８、通信部１０９、電池１１０、電源制御部１１１、メモリ１１２、および制御部１１３を有する。
【００１１】
受信部１０１は、例えば制御部１１３の制御により、オン状態で、予め規定された時刻に放送される番組（コンテンツデータ）および当該番組（コンテンツデータ）を識別するための指標となる識別情報ＩＤを含む放送波を受信し、受信した放送波に基づく信号をスピーカ１０２、表示部１０３、および制御部１１３等に出力する。
また、放送番組のデータの中には、番組（コンテンツデータ）の識別情報ＩＤが含まれている。
【００１２】
本実施形態において、受信部１０１は、例えば電子番組ガイド情報（ＥＰＧ：Electronic Program Guide）等が含まれる放送波を受信する。
ＥＰＧは、デジタル放送波だけではなく、通信ネットワーク網（ＷＷＷ：world wide web）を介してサーバ装置（情報処理装置）から取得することもできる。このため、サーバ装置からＥＰＧを取得してもよい。
【００１３】
ＥＰＧには、個々の番組（コンテンツデータ）を識別するための指標となる識別情報ＩＤが含まれている。
識別情報ＩＤは、例えばＡＲＩＢ  ＳＴＤ−Ｂ１０の番組配列情報についての規定されており、番組特定情報（ＰＳＩ：Program Specific Information）と呼ばれる放送番組関連テーブル（ＰＡＴ：Program Association Table）、放送番組マップテーブル（ＰＭＴ：Program Map Table）、ネットワーク情報テーブル（ＮＩＴ：Network Information Table）、限定受信テーブル（ＣＡＴ：Conditional Access Table）の４つのテーブルから構成される。
本実施形態では、例えばこれらに含まれる放送番組番号識別と呼ばれる要素を使用する。
【００１４】
これらの情報は、番組を識別するＩＤも含めてMPEG-２ Systems（ITU−T H.222.0、ISO/IEC 13818-1）で規定されるセクション形式のデータ構造を用いて伝送され放送信号に含められる。
【００１５】
図３は、図１に示した携帯電話１００の受信部１０１が受信する放送波に含まれるデータのフォーマットの一具体例を説明するための図である。
【００１６】
例えば図３に示すように、データＤは、テーブル識別子Ｄ１、セクションシンタクス指示Ｄ２、パディングＤ３、パディングＤ４、セクション長Ｄ５、トランスポートストリーム識別Ｄ６、パディングＤ７、バージョン番号Ｄ８、カレントネクスト指示Ｄ９、セクション番号Ｄ１０、最終セクション番号Ｄ１１、放送番組番号識別Ｄ１２、パディングＤ１３、ネットワークＰＩＤ（Packet Identification）Ｄ１４、ＰＭＴ＿ＰＩＤ  Ｄ１４１、およびＣＲＣ（Cyclic Redundancy Check ）Ｄ１５を有する。
【００１７】
放送番組番号識別Ｄ１２は、本発明に係る識別情報ＩＤの一例に相当する。
【００１８】
テーブル識別子Ｄ１は、セクションが属するテーブルの識別のための情報である。
セクションシンタクス指示Ｄ２は、通常形式および拡張形式を識別するための情報であり、通常形式の場合には”１”、拡張形式の場合には”０”とする。
パディングＤ３およびパディングＤ４は、付加情報である。
【００１９】
セクション長Ｄ５は、セクション長Ｄ５より後に続くデータバイト数を示す情報である。
トランスポートストリーム識別Ｄ６は、トランスポートストリームの識別情報を示す情報である。
パディングＤ７は付加情報である。
バージョン番号Ｄ８は、テーブルのバージョンを示す情報である。
カレントネクスト指示Ｄ９は、テーブルが現在使用可能である場合には”１”を示し、テーブルが使用不可であり次に有効となることを示す場合には”０”を示す。
【００２０】
セクション番号Ｄ１０は、テーブルを構成するセクション番号を示す情報である。
最終セクション番号Ｄ１１は、テーブルを構成する最終セクション番号を示す情報である。
放送番組番号識別Ｄ１は、本発明に係る番組（コンテンツデータ）を識別するための指標となる識別情報であり、番組（コンテンツデータ）それぞれには異なる識別情報ＩＤが割り当てられる。
【００２１】
パディングＤ１３は付加情報である。
ネットワークＰＩＤ  Ｄ１４、およびＰＭＴ＿ＰＩＤ  Ｄ１４１は、放送番組番号が”０”のときＮＩＴ ＰＩＤを示す値0x0010であり、放送番組番号が”０”と異なるときはＰＭＴ ＰＩＤを示す。
ＣＲＣ  Ｄ１５は、データＤのチェック情報であり、データの欠損、誤り等の検出時に用いられる。
【００２２】
受信部１０１は、例えば図１に示すように、放送無線部１０１１、復調部１０１２、および復号部１０１３を有する。
放送無線部１０１１は、例えば高周波回路、同調回路、周波数変換回路等により構成され、アンテナＡＮＴ１で受信した放送波を中間周波信号に変換して復調部１０１２に出力する。
【００２３】
復調部１０１２は、例えば復調回路等により構成され、放送無線部１０１１から出力された信号に、予め規定された復調処理を施して、復号部１０１３に出力する。
【００２４】
復号部１０１３は、例えばデコーダ回路等により構成され、復調部１０１２から出力された信号に、予め規定されたデコード処理を施して、音声信号、画像信号、データ信号等を生成し、スピーカ１０２、表示部１０３、制御部１１３等に出力する。
【００２５】
スピーカ１０２は、例えば制御部１１３の制御により、所定の音声信号、例えば受信部１０１から出力された音声信号やその他の音声信号を基に発音を行う。
【００２６】
表示部１０３は、例えば制御部１１３の制御により、所定の画像信号、例えば受信部１０１から出力された画像信号やその他の画像信号を基に表示を行う。例えば表示部１０３は、液晶ディスプレイ装置（ＬＣＤ）等の表示装置により構成される。
【００２７】
携帯電話１００の装置本体部１は、例えば図２に示すように、第１筐体部１１、および第２筐体部１２を有する。第１筐体部１１と第２筐体部１２は、折曲部１３により折り曲げ可能に接続されている。
表示部１０３は、例えば図２に示すように、装置本体部１の第１筐体部１１の中央部に設けられている。
【００２８】
計時部１０４は、例えば発振子による振動を基に計時を行い、計時する現時刻情報を制御部１１３に出力する。
バイブレータ１０５は、例えば制御部１１３の制御により、マナーモード時に装置を振動させることにより報知を行う。
【００２９】
入力部１０６は、番組（コンテンツデータ）の開始時刻および当該番組（コンテンツデータ）の識別情報を含む記録予約情報を設定する。
例えば、入力部１０６は、テンキーや、キーボードやポインティングデバイス等により構成され、ユーザの操作に応じた信号を制御部１１３に出力する。
入力部１０６は、例えば図２に示すように、装置本体部１の第２筐体部１２の中央部に設けられている。
【００３０】
送話器１０７は、例えばマイクロフォン等により構成され、ユーザの音声に応じた電気信号を通信部１０９や制御部１１３に出力する。送話器１０７は、例えば図２に示すように、第２筐体部１２の下部に設けられている。
受話器１０８は、例えばスピーカ等により構成され、制御部１１３の制御により、通信部１０９から出力された音声信号や受信部１０１から出力された音声信号に応じた発音を行う。受話器１０８は、例えば図２に示すように、第１筐体部１１の上部に設けられている。
【００３１】
通信部１０９は、例えば制御部１１３の制御により、無線信号により携帯電話の通話網（電話通信網）の装置である基地局や通信機能を有する他の移動通信装置と通信を行う。
通信部１０９は、例えば送話器１０７から入力された電気信号を予め規定された方式で無線信号に変換し、アンテナＡＮＴ２を介して出力する。また、通信部１０９は、アンテナＡＮＴ２で受信した無線信号に予め規定された方式で復調して音声信号、データ信号等を生成する。
【００３２】
通信部１０９は、例えば図１に示すように、分配・混合部１０９１、受信無線部１０９２、復調部１０９３、復号部１０９４、デジタル／アナログ（Ｄ／Ａ）変換部１０９５、アナログ／デジタル（Ａ／Ｄ）変換部１０９６、符号化部１０９７、変調部１０９８、および送信無線部１０９９を有する。
【００３３】
分配・混合部１０９１は、アンテナＡＮＴ２で受信した無線信号を高周波信号に変換して受信無線部１０９２に出力する。また、分配・混合部１０９１は、送信無線部１０９９から出力された高周波信号をアンテナＡＮＴ２に出力する。
【００３４】
受信無線部１０９２は、例えば同調回路等により構成され、分配・混合部１０９１から出力された高周波信号を中間周波信号に変換して復調部１０９３に出力する。
【００３５】
復調部１０９３は、例えば制御部１１３の制御により、受信無線部１０９２から出力された信号に、予め規定された復調処理を施し、生成したデータ列を復号部１０９４や制御部１１３に出力する。
【００３６】
復号部１０９４は、例えば復調部１０９３から出力されたデータ列に、予め規定された復号処理を施し、生成したデジタル信号をＤ／Ａ変換部１０９５に出力する。
【００３７】
Ｄ／Ａ変換部１０９５は、復号部１０９４から出力されたデジタル信号にデジタル／アナログ変換処理を施して音声信号を受話器１０８に出力する。
【００３８】
アナログ／デジタル（Ａ／Ｄ）変換部１０９６は、例えば送話器１０７から出力されたアナログ音声信号に、アナログ／デジタル信号変換処理を施し、生成したデジタル信号を符号化部１０９７に出力する。
【００３９】
符号化部１０９７は、Ａ／Ｄ変換部１０９６から出力されたデジタル信号に、例えば圧縮符号化処理を施して、変調部１０９８に出力する。
【００４０】
変調部１０９８は、例えば制御部１１３の制御により、符号化部１０９７から出力された信号や、制御部１１３から出力されたデータ信号に、予め規定された電波伝送に適した変調処理を施して、送信無線部１０９９に出力する。
【００４１】
送信無線部１０９９は、例えば周波数変換回路や高周波回路、増幅回路等により構成され、変調部１０９８から出力された信号を分配・混合部１０９１を介して、アンテナＡＮＴ２から無線信号として送信する。
【００４２】
電池（バッテリ）１１０は、例えば充電および放電可能な２次電源や、バックアップ用電池により構成され、電源制御部１１１および制御部１１３の制御により装置全体に電力を供給する。
【００４３】
電源制御部１１１は、例えば制御部１１３の制御により、各構成要素の電力の供給を制御する。
電源制御部１１１は、例えば制御部１１３から、受信部１０１をオフ状態からオン状態に切り換えさせる制御信号が出力されると、その制御信号に応じて電池１１０の電力を受信部１０１に供給して、受信部１０１をオン状態に切り換える。
また、電源制御部１１１は、制御部１１３から、受信部１０１をオン状態からオフ状態に切り換えさせる制御信号が出力されると、その制御信号に応じて受信部１０１への電力供給を抑制して、受信部１０１をオフ状態に切り換える。
【００４４】
また、通信部１０９への電力供給も同様である。
例えば、電源制御部１１１は、制御部１１３から、通信部１０９をオフ状態からオン状態に切り換えさせる制御信号が出力されると、その制御信号に応じて電池１１０の電力を通信部１０９に供給して、通信部１０９をオン状態に切り換える。
また、電源制御部１１１は、制御部１１３から、通信部１０９をオン状態からオフ状態に切り換えさせる制御信号が出力されると、その制御信号に応じて通信部１０９への電力供給を抑制して、通信部１０９をオフ状態に切り換える。
【００４５】
メモリ１１２は、制御部１１３の制御により、番組（コンテンツデータ）や、電話帳データ、着信音データ、メールデータ、画像データ、初期データ、プログラム（ＰＲＧ）等を記録する。メモリ１１２は、例えばＲＡＭ（Random Access Memory）やＲＯＭ（Read Only Memory）や、ハードディスク等の記録装置により構成される。
プログラム（ＰＲＧ）は、本発明に係る機能を有し、制御部１１３により実行されることで本発明の機能を実現する。
【００４６】
制御部１１３は、装置全体を統括的に制御する。例えば制御部１１３は、メモリ１１２をワークスペースとして、プログラム（ＰＲＧ）を実行することにより、本発明の機能を実現する。
【００４７】
制御部１１３は、例えば、計時部１０４が計時する現時刻情報が、入力部１０６により設定された記録予約情報に含まれる開始時刻になると、受信部１０１をオン状態に切り換え、当該受信部１０１が受信した番組（コンテンツデータ）の識別情報ＩＤと、入力部１０６により設定された予約対象の番組の識別情報ＩＤとを比較し、当該比較の結果一致していない場合には、入力部１０６により設定された予約対象の番組の識別情報ＩＤに相当する番組（コンテンツデータ）の新たな開始時刻を取得して記録予約情報を更新し、新たな開始時刻まで受信部１０１をオフ状態に切り換える。
【００４８】
また、制御部１１３は、比較の結果、識別情報ＩＤが一致している場合には、受信部１０１が受信した番組（コンテンツデータ）をメモリ１１２に記録する。
【００４９】
尚、制御部１１３は、受信部１０１が受信する放送波に含まれる予約対象の番組（コンテンツデータ）の新たな開始時刻を示す情報に基づいて、記録予約情報を更新する。例えば、放送波に含まれるＥＰＧ情報などがあげられる。
【００５０】
また、制御部１１３は、通信部１０９を介して、番組（コンテンツデータ）の識別情報と当該番組（コンテンツデータ）の新たな開始時刻を示す情報とを提供する情報処理装置（番組情報配信サーバ）２００とデータ通信を行い、予約対象の番組の識別情報ＩＤに相当する番組（コンテンツデータ）の新たな開始時刻を示す情報に基づいて、記録予約情報を更新してもよい。
【００５１】
図４は、図１に示した携帯電話１００の制御部の動作の一具体例を説明するための図である。
制御部１１３は、図４に示すように、番組ＩＤ抽出部１１３１、中央制御部１１３２、および記録制御部１１３３を有する。
【００５２】
番組ＩＤ抽出部１１３１は、受信部１０１が受信した放送波に含まれる番組の識別情報ＩＤを抽出する。
【００５３】
また、入力部１０６から入力された記録予約情報が予約情報保持部１１２１に保持される。予約情報保持部１１２１はメモリ１１２内に構成されてもよいし、独立した記録部により構成されてもよい。
【００５４】
ここで、予約情報保持部１１２１に保存される記録予約情報の一例を説明する。
図５は、図１に示した携帯電話１００の入力部１０６から入力される記録予約情報の一具体例を説明するための図である。
入力部１０６から入力される記録予約情報ＤＲは、例えば図５に示すように、放送日情報ＤＲ１、開始時刻情報ＤＲ２、終了時刻情報ＤＲ３、チャンネル情報ＤＲ４、および番組ＩＤ等を有する。
【００５５】
放送日情報ＤＲ１は、番組（コンテンツデータ）が送信される日付情報である。
開始時刻情報ＤＲ２は、番組（コンテンツデータ）を記録する開始時刻を示す情報である。
終了時刻情報ＤＲ３は、番組（コンテンツデータ）の記録を終了する時刻を示す情報である。
チャンネル情報ＤＲ４は、番組（コンテンツデータ）が放送されるチャンネルを示す情報である。
番組ＩＤは、番組（コンテンツデータ）の識別情報である。
【００５６】
記録予約情報ＤＲは、入力部１０６を介してユーザが情報の全てを入力してもよい。
また、ＥＰＧを放送波や通信ネットワーク網より受信しそれを表示し、ユーザがその中から記録したい番組を選択することで記録予約情報ＤＲを生成してもよい。こうすることで、ユーザは操作の手間を減らすことができる。
【００５７】
次に、図４に示す中央制御部１１３２は、予約情報保持部１１２１が保持する記録予約情報に基づいて、番組（コンテンツデータ）の放送開始時刻になったとき受信部１０１をオン状態に切り換えさせる制御信号ＣＴＬ１１３を出力する。
【００５８】
中央制御部１１３２は、受信した番組の識別情報ＩＤと予約対象の番組の識別情報ＩＤとを比較することで、放送開始時刻が繰り下げれているかどうかを判断する。そして、中央制御部１１３２は、当該比較・判断の結果一致していない場合には、予約対象の番組の識別情報ＩＤに基づいて、当該番組（コンテンツデータ）の新たな開始時刻を取得して記録予約情報を更新（設定）し、新たな開始時刻まで受信部１０１をオフ状態に切り換えさせる制御信号ＣＴＬ１を出力する。
電源制御部１１１は、制御信号ＣＴＬ１に基づいて受信部１０１への電力供給（オン／オフ状態）を制御する。
【００５９】
また、中央制御部１１３２は、受信した識別情報ＩＤと予約対象の番組の識別情報ＩＤが一致した場合には、記録制御部１１３３を起動させる。
記録制御部１１３３は、受信部１０１が受信した予約対象の番組（コンテンツデータ）をメモリ１１２に記録する。
【００６０】
また、取得部１１４は、例えば中央制御部１１３２の制御により、ＥＰＧ情報を取得する。
詳細には、取得部１１４は、例えば中央制御部１１３２の制御により、番組（コンテンツデータ）の放送開始時刻が繰り下げられていると判断した場合に、新たな放送開始時刻、および終了時刻等の放送情報を取得し、中央制御部１１３２に出力する。
この取得部１１４は、番組情報配信サーバとのデータ通信を行う通信部１０９であってもよいし、ＥＰＧ情報を含む放送波を受信する受信部１０１であってもよい。
本実施形態では取得部１１４は、通信部１０９として説明する。
【００６１】
図６は、図１に示した携帯電話の動作の一具体例を説明するためのフローチャートである。図６を参照しながら、携帯電話１００の動作を、制御部１１３の動作を中心に説明する。
【００６２】
ステップＳＴ１において、まず、ユーザは、予め規定された時刻に放送される、視聴したい番組（コンテンツデータ）の放送情報、例えば開始時刻情報、終了時刻情報、チャンネル情報、番組ＩＤ等を、ＥＰＧ、新聞、雑誌、ニュース等を参照しながら、入力部１０６を操作して、記録予約情報を設定する。
詳細には、制御部１１３は、入力部１０６から、開始時刻情報、終了時刻情報、チャンネル情報、識別情報等を含む記録予約情報を示す設定信号を基に、記録予約情報を設定し、メモリ１１２や予約情報保持部１１２１に記録する。
【００６３】
例えば、制御部１１３は、番組ＩＤが入力部１０６から入力されていない場合には、ステップＳＴ２において、取得部１１４にＥＰＧ情報を取得させ番組ＩＤを得る。この際、上述したように通信部１０９により、番組情報配信サーバ２００にアクセスしてＥＰＧ情報を取得してもよいし、受信部１０１に放送波に含まれるＥＰＧ情報を取得させ番組ＩＤを得るようにしてもよい。
【００６４】
ステップＳＴ３において、制御部１１３は、取得した識別情報ＩＤ（番組ＩＤともいう）を、予約情報保持部１１２１やメモリ１１２に記録する。
【００６５】
ステップＳＴ４において、制御部１１３は、計時部１０４が計時する現時刻情報が、予約情報保持部１１２１やメモリ１１２が記録する記録予約情報に含まれる開始時刻になったか否かが判定され、開始時刻であると判定された場合には、記録予約情報ＤＲに含まれる、識別情報（番組）ＩＤ（Ａ）を読み出す（ステップＳＴ５）。
【００６６】
ステップＳＴ６において、制御部１１３は、受信部１０１をオン状態に切り換える。詳細には、制御部１１３はオン状態に切り換えさせる制御信号ＣＴＬ１を電源制御部１１１に出力する。電源制御部１１１はその制御信号ＣＴＬ１を受けて、受信部１０１に電力を供給する。
【００６７】
ステップＳＴ７において、制御部１１３は、受信部１０１を、記録予約情報ＤＲに基づいて、記録すべき番組（コンテンツデータ）が放送されるチャンネルにチューニングする。
【００６８】
ステップＳＴ８において、制御部１１３の番組ＩＤ抽出部１１３１は、受信部１０１が受信した現在放送されている放送波から、番組（コンテンツデータ）の識別情報ＩＤ（Ｂ）を抽出する。
【００６９】
ステップＳＴ９において、制御部１１３は、受信部１０１が受信した現在放送中の番組（コンテンツデータ）の識別情報ＩＤ（Ｂ）と、入力部１０６により設定された予約対象の番組の識別情報ＩＤ（Ａ）とを比較する。
比較の結果一致している場合には、制御部１１３は、受信部１０１が受信した番組（コンテンツデータ）をメモリ１１２に記録する。
詳細には、記録制御部１１３３は受信部１０１が受信した番組（コンテンツデータ）をメモリ１１２に記録させ（ＳＴ１０）、終了時刻になると記録を終了し、ステップＳＴ１２の処理に進む。
【００７０】
一方、ステップＳＴ９において、当該比較の結果一致していない場合には、制御部１１３は、後述する予約情報補正処理を行い（ＳＴ１１）、ステップＳＴ１２の処理に進む。
【００７１】
ステップＳＴ１２では、制御部１１３は、終了時刻になると受信部１０１をオフ状態に切り換え、ステップＳＴ４の処理に戻る。
ここで、オフ状態とは、受信部１０１による放送波の受信処理を休止すること、テレビアプリケーションにかかる各デバイスの電源をオフにすることなど消費電力を抑えるスタンバイ状態に移行するものである。
制御部１１３は、受信部１０１をオフ状態にさせる制御信号ＣＴＬ１を電源制御部１１１に出力する。電源制御部１１１はその制御信号ＣＴＬ１を受信すると、受信部１０１に供給する電力を抑制する。
【００７２】
図７は、図１に示した携帯電話の記録予約情報の補正処理の一具体例を説明するためのフローチャートである。図７を参照しながら補正処理を、制御部１１３の動作を中心に説明する。
【００７３】
ステップＳＴ１１１において、制御部１１３の中央制御部１１３２は、比較の結果一致していない場合には、取得部１１４に、変更になった番組の放送スケジュールをサーバ２００に問い合わせる。または、サーバ２００からＥＰＧを取得する。または中央制御部１１３２は、受信部１０１を介して放送波に含まれるＥＰＧ情報を受信させる。
【００７４】
ステップＳＴ１１２において、制御部１１３は、取得部１１４に、入力部１０６により設定された予約対象の番組の識別情報ＩＤ（Ａ）に相当する番組（コンテンツデータ）の新たな開始時刻情報や、終了時刻情報を取得させる。
【００７５】
ステップＳＴ１１３において、制御部１１３は、取得した新たな開始時刻情報や終了時刻情報等に基づいて、メモリ１１２や予約情報保持部１１２１が記録する記録予約情報ＤＲを更新（設定）する。
【００７６】
そして、ステップＳＴ１２の処理に進み、制御部１１３は、新たな開始時刻まで受信部１０１をスタンバイ状態に切り換え、次の番組の開始時刻になるまで待機する。
【００７７】
以上、説明したように、デジタル放送において放送される番組を受信する受信部１０１と、受信部１０１により受信される番組を記録するメモリ１１２と、放送予定の番組の記録予約をする入力部１０６と、入力部１０６で設定した番組の記録開始時刻に予約番組と異なる番組を受信部１０１が受信した場合は、予約番組の変更された放送開始時刻を取得して当該記録予約の記録開始時刻を新たに設定する制御部１１３とを設けたので、例えば、予約対象の番組の放送時間が繰り下げられて放送されても確実に対象の番組を記録する。
また、制御部１１３は、記録予約の記録開始時刻を新たに設定するとともに、次の記録開始処理を行うまで受信部１０１の受信処理を休止して消費電力を抑えるスタンバイ状態に移行するので、この処理動作の際の消費電力を低く抑えることができる。
つまり、定期的に変更状態をチェックする装置と比べて、消費電力が小さい。
このため、本発明を採用した携帯電話等の移動通信装置では、予約対象の番組の放送時間が繰り下げられて放送されても簡単に且つ確実に記録出来、電池（バッテリ）による限られた電力を有効に活用することができる。
【００７８】
また、制御部１１３は、比較の結果一致していない場合に、受信部１０１が受信するＥＰＧ情報により放送スケジュールの変更情報、詳細には新たな開始時刻情報を取得して、記録予約情報ＤＲを更新（設定）することで、所望の番組を記録でき、かつ消費電力が一般的な固定装置と比べて小さい。
【００７９】
また、制御部１１３は、比較の結果一致していない場合に、通信部１０９によりサーバ２００にアクセスし、放送スケジュールの変更情報、詳細には新たな開始時刻情報をＥＰＧ等から取得して、記録予約情報ＤＲを更新（設定）することで、所望の番組を記録でき、かつ消費電力が一般的な装置と比べて小さい。
尚、放送波のＥＰＧを用いるほうが、通信費がかからない点で好ましい。一方、サーバにアクセスする場合は放送波より早く、且つ詳細な情報を得ることが出来る場合がある点で好ましい。また、異なる種類（内容）のＥＰＧを提供する複数のサーバにアクセスする場合は、それらを総合してより詳細な情報を得ることが出来る場合がある点で好ましい。
【００８０】
本発明によれば、実際の記録開始までに、受信部１０１や通信部１０９など、予約記録に必要な箇所（部）を常に動作させておく必要がないために消費電力が一般的な装置と比べて小さい。
【００８１】
なお、本発明は本実施形態に限られるものではなく、任意好適な改変が可能である。
例えば、上述した制御部１１３の構成は上述した構成に限られるものではない。
また、開始時刻情報が変更されるに伴い、終了時刻情報も同時に変更して記録予約情報を更新してもよい。
【００８２】
また、プログラム（ＰＲＧ）は、通信ネットワークを介してダウンロードされてもよい。
また、制御部は、本発明に係る機能を有するハードウェアの回路により実現されてもよい。
【図面の簡単な説明】
【００８３】
【図１】本発明に係る移動通信装置の一実施形態の機能ブロック図である。
【図２】図１に示した移動体通信装置（携帯電話）の一具体例の全体図である。
【図３】図１に示した携帯電話１００の受信部１０１が受信する放送波に含まれるデータのフォーマットの一具体例を説明するための図である。
【図４】図１に示した携帯電話１００の制御部の動作の一具体例を説明するための図である。
【図５】図１に示した携帯電話１００の入力部１０６から入力される記録予約情報の一具体例を説明するための図である。
【図６】図１に示した携帯電話の動作の一具体例を説明するためのフローチャートである。
【図７】図１に示した携帯電話の記録予約情報の補正処理の一具体例を説明するためのフローチャートである。
【符号の説明】
【００８４】
１００…移動通信装置（携帯電話）、１０１…受信部、１０２…スピーカ、１０３…表示部、１０４…計時部、１０５…バイブレータ、１０６…入力部、１０７…送話器、１０８…受話器、１０９…通信部、１１０…電池、１１１…電源制御部、１１２…メモリ、１１３…制御部、１１３１…番組ＩＤ抽出部、１１３２…中央制御部、１１３３…記録制御部、ＰＲＧ…プログラム。
【図１】
2006042244.tif 000003
【図２】
2006042244.tif 000004
【図３】
2006042244.tif 000005
【図４】
2006042244.tif 000006
【図５】
2006042244.tif 000007
【図６】
2006042244.tif 000008
【図７】
2006042244.tif 000009